(57)【特許請求の範囲】
【請求項１】
空間を分割する隔板部と、
上記隔板部の正面側の所定の位置に配設された画像表示素子と、
上記隔板部の背面側の前記画像表示素子に対応した位置に取り付けられた撮像素子と、
上記画像表示素子に表示された画像を見るユーザが操作するリモートコントローラが上記隔板部の所定の位置に配設された信号送信手段から送信された信号に基づいて上記信号送信手段に対する位置をユーザ位置として計測することで得られたユーザ位置情報を、上記リモートコントローラから受信するユーザ位置情報受信手段と、
上記ユーザ位置情報受信手段で受信されたユーザ位置情報に基づいて、上記撮像素子の向きを上記ユーザ位置から上記画像表示素子の方向に変更する撮像方向変更手段とを備え、
少なくとも、上記画像表示素子に上記撮像素子で撮像されて得られた画像信号による画像を表示可能とした
空間分割装置。
【請求項２】
上記隔板部の正面側に配設された画像表示素子は複数個であり、該複数個の画像表示素子はマトリックス状に配置されており、
上記隔板部の背面側に取り付けられた撮像素子は複数個であり、該複数個の撮像素子のそれぞれは上記複数個の画像表示素子のそれぞれに対応した位置に取り付けられている
請求項１に記載の空間分割装置。
【請求項３】
上記複数個の画像表示素子を用いて１つの画像を表示する
請求項２に記載の空間分割装置。
【請求項４】
上記画像表示素子は、上記隔板部の正面側に着脱自在に配設され、
上記隔板部から上記画像表示素子を取り外したとき、上記画像表示素子の配設位置に配置される化粧板と、
上記画像表示素子を上記隔板部に取り付けるとき、上記化粧板を上記画像表示素子で押し込む動作で、上記画像表示素子を上記隔板部の配設位置にロックし、上記隔板部の配設位置に取り付けられた上記画像表示素子をさらに押し込む動作で、上記画像表示素子の上
記隔板部に対するロックを解除するロック機構を有し、上記画像表示素子を上記隔板部から取り外したとき、上記画像表示素子の配設位置に上記化粧板を移動して配置する化粧板移動機構をさらに備える
請求項１に記載の空間分割装置。
【発明の詳細な説明】
【技術分野】
【０００１】
この発明は、例えばついたて、間仕切り等に適用して好適な空間分割装置に関する。
【０００２】
詳しくは、この発明は、空間を分割する隔板部の正面側に画像表示素子を配設すると共に、この隔板部の背面側に撮像素子を取り付け、画像表示素子に撮像素子で撮像されて得られた画像信号による画像を表示可能とすることによって、ユーザが隔板部の背面側を容易に観察できるようにした空間分割装置に係るものである。
【０００３】
また、この発明は、空間を分割する隔板部の正面側に画像表示素子を着脱自在に配設することによって、画像表示素子の分離使用を容易に行い得るようにした空間分割装置に係るものである。
【背景技術】
【０００４】
従来、例えば特許文献１には、情報表示装置付きパーティションが記載されている。
【０００５】
【特許文献１】特許３４１６２９４号公報
【発明の開示】
【発明が解決しようとする課題】
【０００６】
特許文献１に記載される情報表示装置付きパーティションは、単に通信ケーブルを介して送られてくる情報等を表示するものである。そのため、例えば、ユーザがパーティションの向こう側、例えば向こう側にある窓の外を見たいときは、この情報表示装置付きパーティションにおいても、情報表示装置が付いていないパーティションと同様に、パーティションが邪魔にならない位置までユーザ自身が移動することが必要であり、ユーザにとって非常に煩わしいものであった。
【０００７】
また、特許文献１に記載される情報表示装置付きパーティションにおいては、情報表示装置は取り付けパネルに取り付けられ、この取り付けパネルがパーティション本体に着脱できる構造となっており、当該取り付けパネルをパーティション本体の任意の位置に容易に取り付けできるようになっている。この場合、情報表示装置をパーティションから分離して使用する場合、パーティション本体から、情報表示装置が取り付けられた取り付けパネルを取り外して用いることになるが、情報表示装置は取り付けパネルに取り付けられたままで持ち運びされることとなるため、ユーザにとって非常に不便である。
【０００８】
この発明の目的は、ユーザが例えばついたての向こう側を容易に観察できる空間分割装置を提供することにある。また、この発明の目的は、例えばついたてに取り付けられた画像表示素子の分離使用を容易に行い得る空間分割装置を提供することになる。
【課題を解決するための手段】
【０００９】
この発明に係る空間分割装置は、空間を分割する隔板部と、上記隔板部の正面側の所定の位置に配設された画像表示素子と、上記隔板部の背面側の前記画像表示素子に対応した位置に取り付けられた撮像素子と、上記画像表示素子に表示された画像を見るユーザが操作するリモートコントローラが上記隔板部の所定の位置に配設された信号送信手段から送信された信号に基づいて上記信号送信手段に対する位置をユーザ位置として計測することで得られたユーザ位置情報を、上記リモートコントローラから受信するユーザ位置情報受信手段と、上記ユーザ位置情報受信手段で受信されたユーザ位置情報に基づいて、上記撮像素子の向きを上記ユーザ位置から上記画像表示素子の方向に変更する撮像方向変更手段とを備え、少なくとも、上記画像表示素子に上記撮像素子で撮像されて得られた画像信号による画像を表示可能としたものである。
【００１０】
この発明においては、隔板部により空間が分割される。この場合、隔板部はついたて、間仕切り（パーティション）、壁等を構成している。この隔板部の正面側に画像表示素子が配置されている。この画像表示素子は、ＬＣＤ(Liquid Crystal Display)、ＰＤＰ(Plasma Display Panel)等のディスプレイだけでなく、例えばディスプレイの他にチューナなどの画像信号の処理回路を含むテレビ受信機であってもよい。
【００１１】
また、隔板部の背面側に撮像素子（ビデオカメラ）が取り付けられている。そして、少なくとも、撮像素子で撮像されて得られた画像信号を画像表示素子に供給して、それによる画像を表示できるようにされている。
【００１２】
ユーザが隔板部の向こう側を見たいとき、上述したように、隔板部の正面側に配設された画像表示素子に撮像素子で撮像されて得られた画像信号による画像を表示する状態とすればよい。これにより、ユーザは、隔板部が邪魔にならない位置まで移動するということを行わずに、当該隔板部の向こう側を容易に観察できる。
【００１３】
また、画像表示素子に表示された画像を見るユーザが操作するリモートコントローラの位置を計測することで得られたユーザ位置情報に基づいて撮像素子の撮像方向を変更することで、撮像素子の撮像方向をユーザの視線の方向に合わせることができ、ユーザ位置から適切な画像を画像表示素子に表示できる。
【００１４】
例えば、隔板部の正面側に配設される画像表示素子は一個または複数個とされる。複数個の画像表示素子は例えばマトリックス状に配置される。これにより、複数個の画像表示素子を用いて１つの画像を大きく表示できる。また、隔板部の背面側に取り付けられる撮像素子は一個または複数個とされる。例えば、上述したように、隔板部の正面側に複数個の画像表示素子が配置される場合、複数個の撮像素子は複数個の画像表示素子のそれぞれに対応した位置に取り付けられる。この場合例えば、複数個の撮像素子で得られる画像信号による画像をそれぞれ対応する画像表示素子に表示できる。
【００１５】
また、この発明に係る空間分割装置は、空間を分割する隔板部と、この隔板部の正面側に着脱自在に配設された画像表示素子とを備えるものである。
【００１６】
この発明においては、隔板部の正面側に画像表示素子を取り付けて使用でき、またこの隔板部の正面側に取り付けられた画像表示素子を取り外して使用することもできる。
【００１７】
例えば、隔板部から画像表示素子を取り外したとき、画像表示素子の配設位置に配置される化粧板と、画像表示素子を隔板部に取り付けるとき、化粧板を画像表示素子で押し込む動作で、画像表示素子を隔板部の配設位置にロックし、隔板部の配設位置に取り付けられた画像表示素子をさらに押し込む動作で、画像表示素子の隔板部に対するロックを解除するロック機構を有し、画像表示素子を隔板部から取り外したとき、画像表示素子の配設位置に化粧板を移動して配置する化粧板移動機構をさらに備えるようにしてもよい。これにより、隔板部の正面側から画像表示素子を取り外したとき、画像表示素子が配設されていた位置に化粧板が配置されるので、見た目がきれいになる。
【発明の効果】
【００１８】
この発明によれば、空間を分割する隔板部の正面側に画像表示素子を配設すると共に、この隔板部の背面側に撮像素子を取り付け、画像表示素子に撮像素子で撮像されて得られた画像信号による画像を表示可能とするものであり、ユーザは隔板部の背面側を容易に観察できる。また、画像表示素子に表示された画像を見るユーザが操作するリモートコントローラの位置をユーザ位置として計測することで得られたユーザ位置情報に基づいて撮像素子の撮像方向を変更することで、撮像素子の撮像方向をユーザの視線の方向に合わせることができ、ユーザ位置から適切な画像を画像表示素子に表示できる。さらに、この発明によれば、空間を分割する隔板部の正面側に画像表示素子を着脱自在に配設するものであり、画像表示素子の分離使用を容易に行うことができる。
【発明を実施するための最良の形態】
【００１９】
以下、図面を参照しながら、この発明の実施の形態について説明する。図１は、実施の形態としてのついたて装置１００の構成を示している。
【００２０】
このついたて装置１００は、空間を分割する、長方形状の隔板部１１０を有している。この隔板部１１０は長方形状の基台部１２０の長手方向の一端から植立した状態で、当該基台部１２０に連接されている。
【００２１】
この隔板部１１０の正面側の中央部には、９個のテレビ受信機１３１-1〜１３１-9が３×３のマトリックス状に、かつ着脱自在に配設されている。これらテレビ受信機１３１-1〜１３１-9は、それぞれ、画像表示素子を構成している。これらテレビ受信機１３１-1〜１３１-9は、それぞれ、ＣＬＤ(Liquid Crystal Display)、ＰＤＰ(Plasma Display Panel)等のフラットパネルディスプレイを持っている。
【００２２】
また、この隔板部１１０の正面側の左端部には左側スピーカ１４１Ｌが配設され、その右端部には右側スピーカ１４１Ｒが配設されている。また、この隔板部１１０の右上部には、ユーザが操作するリモコン（リモートコントローラ）１４０からのリモコン信号（赤外線信号）を受信するリモコン受光部１５０が配設されている。
【００２３】
また、この隔板部１１０の背面側には、図２に示すように、９個の撮像素子（ビデオカメラ）１８０-1〜１８０-9が、それぞれ、自動雲台１９０-1〜１９０-9に載置された状態で取り付けられている。これら撮像素子１８０-1〜１８０-9のそれぞれは、上述した隔板部１１０の正面側に配設される９個のテレビ受信機１３１-1〜１３１-9のそれぞれに対応した位置に取り付けられている。撮像素子１８０-1〜１８０-9が、それぞれ、自動雲台１９０-1〜１９０-9を介して隔板部１１０に取り付けられているのは、後述するように、撮像素子１８０-1〜１８０-9の撮像方向を、ユーザ位置情報に基づいて、ユーザの視線方向に変更可能とするためである。
【００２４】
基台部１２０の底面には、その四すみに対応して、移動補助手段としてのキャスター１６０が取り付けられている。このように、キャスター１６０が取り付けられていることで、ついたて装置１００の移動が容易とされている。
【００２５】
このついたて装置１００には、その基台部１２０から導出された電源プラグ１７０を通じて、電源が供給される。また、このついたて装置１００には、ＡＶセンタ２００から、画像信号ＳＶ、音声信号ＳＡ、さらには図示しないアンテナで受信された放送信号ＢＳが供給される。
【００２６】
ＡＶセンタ２００の筐体内部には、後述するように、ＨＤＤ(Hard Disk Drive)、ＤＶＤ(Digital Versatile Disc)装置、チューナ等が内蔵されている。また、このＡＶセンタ２００の筐体正面にはディスク挿入口２１１、動作状態を表示するための表示素子２１２、およびリモコン１４０からのリモコン信号（赤外線信号）を受信するリモコン受光部２１３とが配設されている。
【００２７】
また、このＡＶセンタ２００の筐体側面には、アンテナで受信された放送信号ＢＳを入力するアンテナ端子２１４、および外部から画像信号や音声信号を入力するための外部入力端子２１５が配設されている。
【００２８】
このＡＶセンタ２００からついたて装置１００に送信される画像信号ＳＶおよび音声信号ＳＡは、例えば、外部入力端子２１５に入力された画像信号および音声信号、チューナで得られた画像信号および音声信号、ＨＤＤで再生された画像信号および音声信号、またはＤＶＤ装置で再生された画像信号および音声信号とされる。このＡＶセンタ２００からついたて装置１００に、いずれの画像信号および音声信号を送信するかは、ユーザがリモコン１４０を操作することで指示できる。
【００２９】
隔板部１１０の正面側に配設されたテレビ受信機１３１-1〜１３１-9の画面には、ＡＶセンタ２００から供給される画像信号ＳＶによる画像、撮像素子１８０-1〜１８０-9で撮像されて得られた画像信号ＳＶによる画像、ＡＶセンタ２００から供給される放送信号ＢＳに基づいて当該テレビ受信機１３１-1〜１３１-9内のチューナで得られた画像信号ＳＶによる画像のいずれかが表示される。このテレビ受信機１３１-1〜１３１-9の画面に、いずれの画像を表示するかは、ユーザがリモコン装置１４０を操作することで指示できる。この場合、テレビ受信機１３１-1〜１３１-9の各画面にそれぞれ１つの画像を表示でき、あるいは当該テレビ受信機１３１-1〜１３１-9の全画面を用いて１つの画像を表示できる。
【００３０】
上述したように、テレビ受信機１３１-1〜１３１-9は、隔板部１１０の正面側に着脱自在に配設されている。図３は、隔板部１１０から、テレビ受信機１３１-1〜１３１-9を全て取り外した状態を示している。この場合、テレビ受信機１３１-1〜１３１-9の配設位置に、それぞれ、化粧板３１１〜３１３が移動して配置される。このように、隔板部１１０の正面側からテレビ受信機１３１-1〜１３１-9を取り外したとき、当該テレビ受信機１３１-1〜１３１-9が配設されていた位置に化粧板３１１〜３１３が配置されるので、見た目がきれいになる。
【００３１】
次に、上述したテレビ受信機１３１-1〜１３１-9として使用されるテレビ受信機１３１について説明する。図４Ａは、テレビ受信機１３１の斜視図を示している。このテレビ受信機１３１は、ディスプレイが配置された画面部１３２と、この画面部１３２の後部に連接された、上述した隔板部１１０に取り付けるための固定部１３３とからなっている。放送信号ＢＳから所望のチャネルの画像信号を得るチューナ、外部から入力された画像信号またはチューナで得られた画像信号を選択してディスプレイに供給する信号切替回路等の処理回路は、例えば固定部１３３の部分に内蔵されている。
【００３２】
図４Ｂ，Ｃ，Ｄ，Ｅは、それぞれ、テレビ受信機１３１の上面図、正面図、底面図、略線的縦断面図を示している。このテレビ受信機１３１の固定部１３３の上面側には、隔板部１１０に取り付けて固定する際に、隔板部１１０から延びるロック用爪３５５が挿入される６個のロック用孔１３４が形成されている。また、このテレビ受信機１３１の固定部１３３の底面側には、隔板部１１０に取り付けて固定する際に、隔板部１１０から延びるロック用爪３８５が挿入される６個のロック用孔１３５が形成されている。このロック用孔１３５の部分には、接続電極１３６が設けられている。テレビ受信機１３１には、この接続電極１３６を介して、画像信号、アンテナからの放送信号、電源、コマンド信号（リモコン信号）等が供給される。
【００３３】
図５Ａは、隔板部１１０からテレビ受信機１３１-1〜１３１-9を取り外した状態における化粧板３１１〜３１３の位置を示している。図５Ｂは、隔板部１１０にテレビ受信機１３１-1〜１３１-9を取り付けた状態における化粧板３１１〜３１３の位置を示している。この図５Ａ，Ｂは、例えばテレビ受信機１３１-1，１３１-4，１３１-7の部分を模式的に示したものである。このように、隔板部１１０の正面側からテレビ受信機１３１-1〜１３１-9が取り外されるとき、その配設位置に化粧板３１１〜３１３が移動する。このとき、隔板部１１０の正面側で、化粧板３１１〜３１３は面一の状態となる。
【００３４】
図６Ａは、隔板部１１０の正面側からテレビ受信機１３１-1〜１３１-9が取り外された状態で、化粧板３１１〜３１３の部分を見た状態を示している。化粧板３１２の上部および下部には、それぞれ、後述するロック部３５８，３８８の作用片３５７，３８７を通過させるための６個の矩形状切欠３１４が形成されている。図６Ａでは、化粧板３１２の切欠３１４を介して、ロック部３５８，３８８の作用片３５７，３８７が臨まれる。
【００３５】
次に、図７を用いて、隔板部１１０における化粧板可動機構とテレビロック機構について説明する。図７は、任意のテレビ受信機１３１の配設位置に対応した部分を示している。この図７は、テレビ受信機１３１が取り外された状態を示している。
【００３６】
化粧板３１１は、下部が開放された箱状部材３５１の前面板で構成されている。この箱状部材３５１は、トグルロック機構３５２を介して隔板部１１０の背面部位１１０Ｂに固定されている。箱状部材３５１の背面板３５３と背面部位１１０Ｂとの間にコイルバネ３５４が配設されている。このコイルバネ３５４により、箱状部材３５１は、正面方向に付勢された状態におかれる。トグルロック機構３５２は、箱状部材３５１が図示の位置にある第１のロック状態と、テレビ受信機１３１が取り付けられて、当該箱状部材３５１がテレビ受信機１３１の画面部１３２の厚みだけ背面方向に移動した位置にある第２のロック状態とをとるようになっている。
【００３７】
また、ロック用爪３５５、および傾斜部３５６を持つ作用片３５７を一体的に持つロック部３５８は、トグルロック機構３５９を介して、箱状部材３５１の上面板３６０に固定されている。この箱状部材３５１の上面板３６０とロック部３５８との間にはコイルバネ３６１が配設されている。このコイルバネ３６１により、ロック部３５８は、下方向に付勢された状態におかれる。トグルロック機構３５９は、ロック部３５８が図示の位置にある第１のロック状態と、テレビ受信機１３１が取り付けられて、ロック用爪３５５がテレビ受信機１３１の固定部１３３のロック用孔１３４に挿入された位置にある第２のロック状態とをとるようになっている。
【００３８】
図８Ａ，Ｂは、トグルロック機構３５９の概略構成（回転式）を示している。このトグルロック機構は、図８Ａに示すように、円筒部３５９ａと、この円筒部３５９ａに、上下動可能に挿入される円柱部３５９ｂとからなっている。円筒部３５９ａの内面には、溝３５９ａ′が切られている。図８Ｂは円筒部３５９ａの内面を展開した図である。また、円柱部３５９ｂの外面には、上述した溝３５９ａ′に遊嵌される突起３５９ｂ′が植立されている。
【００３９】
円柱部３５９ｂはロック部３５８（図７参照）の上下の運動と同じように上下に運動する。この円柱部３５９ｂが上下すると、円筒部３５９ａの溝３５９ａ′の効果によって、円柱部３５９ｂは回転していく。この回転によって円柱部３５９ｂの突起３５９ｂ′の位置が変わる。円柱部３５９ｂの突起３５９ｂ′が円筒部３５９ａの溝３５９ａ′に引っかかることによって、コイルバネ３６１の有効、無効が切り替えられ、トグルロック機構３５９は、上述したように第１、第２のロック状態をとる。
【００４０】
なお、説明は省略するが、トグルロック機構３５２も、上述したトグルロック機構３５９と同様に構成されており、上述したように第１、第２のロック状態をとるようになされている。
【００４１】
図７に戻って、化粧板３１２と隔板部１１０の背面部位１１０Ｂとの間にコイルバネ３７１が配設される。この化粧板３１２は図示の位置が安定位置であり、図示の位置から背面方向に移動した位置では、このコイルバネ３７１によって正面方向に付勢された状態におかれる。
【００４２】
また、化粧板３１３の部分は、基本的には、上述した化粧板３１１の部分と同様に構成されている。すなわち、化粧板３１３は、上部が開放された箱状部材３８１の前面板で構成されている。この箱状部材３８１は、トグルロック機構３８２を介して隔板部１１０の背面部位１１０Ｂに固定されている。箱状部材３８１の背面板３８３と背面部位１１０Ｂとの間にコイルバネ３８４が配設されている。このコイルバネ３８４により、箱状部材３８１は、正面方向に付勢された状態におかれる。トグルロック機構３８２は、箱状部材３８１が図示の位置にある第１のロック状態と、テレビ受信機１３１が取り付けられて、当該箱状部材３８１がテレビ受信機１３１の画面部１３２の厚みだけ背面方向に移動した位置にある第２のロック状態とをとるようになっている。
【００４３】
また、ロック用爪３８５、および傾斜部３８６を持つ作用片３８７を一体的に持つロック部３８８は、トグルロック機構３８９を介して、箱状部材３８１の底面板３９０に固定されている。この箱状部材３８１の底面板３９０とロック部３８８との間にはコイルバネ３９１が配設されている。このコイルバネ３９１により、ロック部３８８は、上方向に付勢された状態におかれる。トグルロック機構３８９は、ロック部３８８が図示の位置にある第１のロック状態と、テレビ受信機１３１が取り付けられて、ロック用爪３８５がテレビ受信機１３１の固定部１３３のロック用孔１３５に挿入された位置にある第２のロック状態とをとるようになっている。
【００４４】
なお、ロック部３８８のロック用爪３８５には接続電極３９２が設けられている。テレビ受信機１３１が取り付けられて、ロック用爪３８５がテレビ受信機１３１の固定部１３３のロック用孔１３５に挿入された状態では、この接続電極３９２が、ロック用孔１３５に配設された接続電極１３６（図７参照）と電気的に接続される状態となる。つまり、テレビ受信機１３１には、このロック爪３８５に設けられた接続電極３９２、ロック用孔１３５に設けられた接続電極１３６を介して、画像信号ＳＶ、アンテナからの放送信号ＢＳ、電源、コマンド信号が供給される。
【００４５】
また、詳細説明は省略するが、トグルロック機構３８２，３８９も、上述したトグルロック機構３５９（図８Ａ，Ｂ参照）と同様の構成とされている。
【００４６】
次に、図７に示す化粧板可動機構とテレビロック機構における、テレビ受信機１３１の取り付け時および取り外し時の動作を説明する。
【００４７】
取り付け時の動作を説明する。図７に示す状態から、化粧板３１２にテレビ受信機１３１の固定部１３３を対応させ、当該テレビ受信機１３１を背面方向に押し込んでいく。図９は、テレビ受信機１３１を少し押し込んだ状態を示している。なお、この図９は化粧板３１１の部分のみを示し、化粧板３１３の部分については、化粧板３１１の部分と同様の動きとなるので省略している。これは、以下の図においても同様である。図１０は、図９の状態から、テレビ受信機１３１をさらに押し込んだ状態を示している。
【００４８】
図１１は、図１０の状態から、テレビ受信機１３１をさらに押し込んだ状態を示している。この状態に至るまでに、テレビ受信機１３１の固定部１３３が作用片３５７の傾斜部３５６に当接され、それによってロック部３５８がコイルバネ３６１の付勢力に逆らって上方向に動いていき、ロック部３５８は図示の位置まで動く。
【００４９】
この図１１の状態で、ユーザがテレビ受信機１３１の押し込みを止めると、化粧板３１２に接続されたコイルバネ３７１（図７参照）により、当該化粧板３１２、従ってテレビ受信機１３１が正面方向に押し戻され、テレビ受信機１３１の固定部１３３のロック用孔１３４がロック部３５８のロック用爪３５５に対向した位置となる。また、図１１の状態では、トグルロック機構３５９は第１のロック状態が解除され、しかもロック部３５８はコイルバネ３６１で下方向に付勢されているので、ロック用爪３５５がロック用孔１３４に入り込み、図１２に示す状態となる。この場合、ロック部３５８の作用片３５７は化粧板３１２の矩形状切欠３１４に入り込むので、化粧板３１２がロック用爪３５５がロック用孔１３４に入り込む妨げとなることはない。
【００５０】
なお、図１２に示す状態で、例えば、テレビ受信機１３１の画面部１３２が化粧板３１１に当接した状態となる。図示せずも、この図１２の状態から、さらにテレビ受信機１３１を押し込んでいくことで、トグルロック機構３５２（図７参照）が第２のロック状態となる。これにより、テレビ受信機１３１の取り付けが完了する。
【００５１】
取り外し時の動作を説明する。トグルロック機構３５２が第２のロック状態から、テレビ受信機１３１を押し込んでいくと、当該トグルロック機構３５２は第２のロック状態が解除される。そして、コイルバネ３５４，３７１等の正面方向への付勢力によって、化粧板３１１，３１２、テレビ受信機１３１等は正面方向に移動し、これに伴ってトグルロック機構３５２は第１のロック状態となる。
【００５２】
また、上述したように、テレビ受信機１３１を押し込んでいくと、トグルロック機構３５９に関しては、図１３に示す状態となる。この状態に至るまでに、テレビ受信機１３１の固定部１３３が作用片３５７の傾斜部３５６に当接され、それによってロック部３５８がコイルバネ３６１の付勢力に逆らって上方向に動いていき、ロック部３５８は図示の位置まで動く。これにより、トグルロック機構３５９は第２のロック状態が解除された状態となる。
【００５３】
この図１３の状態で、ユーザがテレビ受信機１３１の押し込みを止めると、化粧板３１２に接続されたコイルバネ３７１（図７参照）により、当該化粧板３１２、従ってテレビ受信機１３１が正面方向に押し戻され、化粧板３１２の矩形状切欠３１４がロック部３５８の作用片３５７に対向した位置となる。そして、上述したようにトグルロック機構３５９は第２のロック状態が解除された状態となっており、しかもロック部３５８はコイルバネ３６１で下方向に付勢されているので、ロック部３５８は下方向に多少移動し、図１４に示す状態となる。この図１４に示す状態では、トグルロック機構３５９は第１のロック状態となる。
【００５４】
この図１４の状態では、ロック部３５８のロック用爪３５５は、テレビ受信機１３１の固定部１３３が存在する位置まで移動することはない。したがって、化粧板３１２に接続されたコイルバネ３７１等の正面方向への付勢力により、テレビ受信機１３１は正面方向に押し戻され、テレビ受信機１３１の前面側が隔板部１１０から飛び出した状態となる。これにより、ユーザは、テレビ受信機１３１を容易に取り外すことができる。
【００５５】
図１５Ａ，Ｂは、隔板部１１０より取り外したテレビ受信機１３１を設置して使用するための台座４００の構成を示している。図１５Ａは、台座４００の斜視図を示し、図１５Ｂは台座４００の背面図を示している。
【００５６】
台座４００は、テレビ受信機１３１（図４Ａ参照）の画面部１３２および固定部１３３の段差に対応させて、画面部１３２を載置する載置部４０１と、固定部１３３を載置する、載置部４０１より高い載置部４０２とを持つ、階段状の構成とされている。この台座４００の正面右側には右側スピーカ４０３Ｒが配設され、その正面左側には左側スピーカ４０３Ｌが配設されている。また、この台座４００の正面中央部には、リモコン１４０からのリモコン信号（赤外線信号）を受信するリモコン受光部４０４が配設されている。
【００５７】
この台座４００には、その台座４００から導出された電源プラグ４１０を通じて、電源が供給される。また、この台座４００の載置部４０２には、テレビ受信機１３１の固定部１３３の底面側に形成された６個のロック用孔１３５に入り込み、その接続電極１３６（図４Ｄ参照）に接続するための、６個の接続電極４０５が、設けられている。また、この台座４００の背面側には、図１５Ｂに示すように、画像信号の外部入力端子４０６Ｖ、左右の外部音声入力端子４０６Ｌ，４０６Ｒ、さらにはアンテナからの放送信号を入力するためのアンテナ端子４０６Ａとが設けられている。
【００５８】
図１６は、テレビ受信機１３１を台座４００に載置した状態を示している。この状態で、テレビ受信機１３１の画面には、外部入力端子４０６Ｖに入力された画像信号による画像、またはアンテナ入力端子４０６Ａに入力された放送信号に基づいて、当該テレビ受信機１３１内のチューナで得られた画像信号による画像のいずれかを表示できる。また、台座４００のスピーカ４０３Ｌ，４０３Ｒからは、外部入力端子４０６Ｌ，４０６Ｒに入力された音声信号による音声、またはアンテナ入力端子４０６Ａに入力された放送信号に基づいて、当該テレビ受信機１３１内のチューナで得られた音声信号による音声のいずれかを出力できる。
【００５９】
次に、ついたて装置１００の信号処理系について説明する。ついたて装置１００の信号処理部５００は、例えば、図１７に破線で示すように、基台部１２０に内蔵されている。リモコン受光部１５０で受信されたリモコン信号は、隔板部１１０の内部に配線された信号線により信号処理部５００に供給される。また、信号処理部５００からの出力音声に係る音声信号は、隔板部１１０の内部に配線された信号線によりスピーカ１４１Ｌ，１４１Ｒに供給される。
【００６０】
また、隔板部１１０の正面側に配設されたテレビ受信機１３１-1〜１３１-9のそれぞれに、画像信号、アンテナからの放送信号、電源、コマンド信号等を供給するために、図１８に示すように、信号処理部５００から、隔板部１１０の内部に配線された信号線により、化粧板３１３の部分、つまりロック部３８８のロック用爪３８５に設けられている接続電極３９２（図７参照）に、当該画像信号、アンテナからの放送信号、電源、コマンド信号等が供給される。
【００６１】
次に、図１９を参照して、ついたて装置１００およびＡＶセンタ２００の回路構成を説明する。
【００６２】
ＡＶセンタ２００を説明する。このＡＶセンタ２００は、全体の動作を制御する制御部２０１を有している。この制御部２０１は、ＣＰＵ(Central Processing Unit)、このＣＰＵの制御プログラム等が格納されたＲＯＭ（Read Only Memory）、ＣＰＵの作業領域を構成するＲＡＭ（Random Access Memory）等から構成されている。
【００６３】
この制御部２０１には、表示素子２１２およびリモコン受光部２１３が接続されている。表示素子２１２には、ＡＶセンタ２００の動作状態等が表示される。リモコン受光部２１３で受信されたリモコン信号は制御部２０１に供給される。
【００６４】
また、ＡＶセンタ２００は、チューナ２０２と、ＤＶＤ装置２０３と、ＨＤＤ(Hard Disk Drive)２０４とを有している。チューナ２０２にはアンテナ入力端子２１４に入力されるアンテナ（図示せず）からの放送信号ＢＳが供給される。チューナ２０２は、放送信号ＢＳに基づいて、所定チャネルの画像信号ＳＶおよび音声信号ＳＡを取得する。
【００６５】
ＤＶＤ装置２０３は、チューナ２０２で得られた画像信号ＳＶおよび音声信号ＳＡやＨＤＤ２０４で再生された画像信号ＳＶおよび音声信号ＳＡをＤＶＤディスク（図示せず）に記録し、またＤＶＤディスクから映画、テレビ番組等の画像信号ＳＶおよび音声信号ＳＡを再生する。ＨＤＤ２０４は、チューナ２０２で得られた画像信号ＳＶおよび音声信号ＳＡやＤＶＤ装置２０３で再生された画像信号ＳＶおよび音声信号ＳＡを記録し、また記録されている映画、テレビ番組等の画像信号ＳＶおよび音声信号ＳＡを再生する。
【００６６】
また、ＡＶセンタ２００は、信号切替部２０５を有している。この信号切替部２１５には外部入力端子２１５、チューナ２０２、ＤＶＤ装置２０３およびＨＤＤ２０４が接続されている。この信号切替部２０５には、外部入力端子２１５に入力された画像信号ＳＶおよび音声信号ＳＡが供給される。また、この信号切替部２０５には、チューナ２０２から、当該チューナ２０２で得られた画像信号ＳＶおよび音声信号ＳＡが供給されると共に、アンテナ端子２１４に入力された放送信号ＢＳそのものも供給される。
【００６７】
また、信号切替部２０５には、ＤＶＤ装置２０３から、当該ＤＶＤ装置２０３で再生された画像信号ＳＶおよび音声信号ＳＡが供給される。また、この信号切替部２０５からＤＶＤ装置２０３には、当該ＤＶＤ装置２０３でＤＶＤディスクに記録すべき、チューナ２０２で得られた画像信号ＳＶおよび音声信号ＳＡ、あるいはＨＤＤ２０４で再生された画像信号ＳＶおよび音声信号ＳＡが供給される。
【００６８】
また、信号切替部２０５には、ＨＤＤ２０４から、当該ＨＤＤ２０４で再生された画像信号ＳＶおよび音声信号ＳＡが供給される。また、この信号切替部２０５からＨＤＤには、当該ＨＤＤ２０４で記録すべき、チューナ２０２で得られた画像信号ＳＶおよび音声信号ＳＡあるいはＤＶＤ装置２０３で再生された画像信号ＳＶおよび音声信号ＳＡが供給される。
【００６９】
信号切替部２０５は、ＤＶＤ装置２０３またはＨＤＤ２０４の記録時には、これらの機器に記録すべき画像信号ＳＶおよび音声信号ＳＡが供給されるように、信号経路を切り替える。また、この信号切替部２０５は、ついたて装置１００に所定の画像信号ＳＶおよび音声信号ＳＡが供給されるように、信号経路を切り替える。ついたて装置１００には、チューナ２０２で得られた画像信号ＳＶおよび音声信号ＳＡ、ＤＶＤ装置２０３で再生された画像信号ＳＶおよび音声信号ＳＡ、またはＨＤＤ２０４で再生された画像信号ＳＶおよび音声信号ＳＡを、選択的に供給できる。
【００７０】
なお、チューナ２０３から信号切替部２０５に供給される放送信号ＢＳは、ついたて装置１００に送信すべき信号として、常に、選択される。これにより、信号切替部２０５から出力されるついたて装置１００に送信すべき信号は、画像信号ＳＶ、音声信号ＳＡおよび放送信号ＢＳから構成される。
【００７１】
また、ＡＶセンタ２００は、信号送信部２０６を有している。この信号送信部２０６は、信号切替部２０５から出力されるついたて装置１００に送信すべき信号（画像信号ＳＶ、音声信号ＳＡおよび放送信号ＢＳ）を、有線または無線でついたて装置１００に送信する。
【００７２】
このＡＶセンタ２００は、リモコン受光部２１３で受信された、リモコン１４０（図１参照）からのリモコン信号に基づいて動作する。
【００７３】
ここで、図２０のフローチャートを用いて、リモコン１４０の動作を説明する。まず、ステップＳＴ１で、例えばパワーオンにより動作を開始し、ステップＳＴ２で、操作面に配置されたボタンが押されたか否かを判定する。ボタンが押されたときは、ステップＳＴ３で、そのボタンに対応したコマンド信号をリモコン信号として送信する。
【００７４】
次に、ステップＳＴ４で、押されたボタンがカメラ向きの変更指示ボタンか否かを判定する。押されたボタンがカメラ向きの変更指示ボタンでないときは、ステップＳＴ２に戻り、次にボタンが押されるのを待つ待機状態となる。
【００７５】
一方、押されたボタンがカメラ向きの変更指示ボタンであるときは、ステップＳＴ５で、後述するように、ついたて装置１００の位置検出補助信号送信部１０２から送信される補助信号を用いて、リモコン位置、従ってユーザ位置を計測する。そして、ステップＳＴ６で、ユーザ位置情報をリモコン信号として送信し、その後にステップＳＴ２に戻り、次にボタンが押されるのを待つ待機状態となる。
【００７６】
なお、図２０のフローチャートでは、カメラ向きの変更指示ボタンが押されるとき、それに対応するコマンド信号を送信した後に、ユーザ位置を計測して、ユーザ位置情報を送信するようになっている。カメラ向きの変更指示ボタンが押されるとき、それに対応するコマンド信号と一緒に、計測されたユーザ位置の情報を送信するようにしてもよい。
【００７７】
図２１のフローチャートを用いて、ＡＶセンタ２００の制御部の動作を説明する。まず、ステップＳＴ１１で、例えばパワーオンにより動作を開始し、ステップＳＴ１２で、リモコン信号を受信したか否かを判定する。リモコン信号を受信したときは、ステップＳＴ１３に進む。
【００７８】
このステップＳＴ１３では、そのリモコン信号がついたて装置１００に送信する画像信号ＳＶ，ＳＡの切り替えを命令するコマンド信号であるか否かを判定する。信号切替を命令するコマンド信号であるときは、ステップＳＴ１４で、信号切替部２０５における信号経路を変更し、ついたて装置１００に送信する信号を切り替え、その後にステップＳＴ１２に戻る。
【００７９】
一方、ステップＳＴ１３で、信号切替を命令するコマンド信号でないときは、ステップＳＴ１５に進む。このステップＳＴ１５では、チューナ２０２、ＤＶＤ装置２０３、ＨＤＤ２０４等の機器の制御を命令するコマンド信号であるか否かを判定する。機器制御を命令するコマンド信号であるときは、ステップＳＴ１６で、対応する機器を制御し、その後にステップＳＴ１２に戻る。この場合、ＤＶＤ装置２０３、またはＨＤＤ２０４の記録を指示する命令であるとき、記録すべき画像信号ＳＶおよび音声信号ＳＡが当該ＤＶＤ装置２０３、またはＨＤＤ２０４に供給されるように、信号切替部２０５の信号経路も変更する。
【００８０】
上述したステップＳＴ１５で機器制御を命令するコマンド信号でないときは、直ちに、ステップＳＴ１２に戻り、次のリモコン信号の受信を待つ待機状態となる。
【００８１】
図１９に戻って、ついたて装置１００を説明する。このついたて装置１００は、全体の動作を制御する制御部１０１を有している。この制御部１０１は、ＣＰＵ、このＣＰＵの制御プログラム等が格納されたＲＯＭ、ＣＰＵの作業領域を構成するＲＡＭ等から構成されている。
【００８２】
この制御部１０１には、リモコン受光部１５０が接続されている。リモコン受光部１５０で受信されたリモコン信号は制御部１０１に供給される。また、この制御部１０１には、位置検出補助信号送信部１０２が接続されている。本実施の形態において、リモコン位置（ユーザ位置）を検出するために磁気センサ方式の位置検出システムが使用され、補助信号送信部１０２からは磁気信号が送信される。なお、この磁気センサ方式の位置検出システムとして、例えば、ＰＯＬＨＥＭＵＳ（ポヒマス）社が販売している“ＦＡＳＴＲＡＫ”を使用できる。この補助信号送信部１０２は、ついたて装置１００の隔板部１１０の中心、例えば撮像素子１８０-5の取り付け位置（図２参照）付近に配設される。
【００８３】
また、ついたて装置１００は、信号受信部１０３と、デコーダ１０４と、信号分配部１０５とを有している。信号受信部１０３は、ＡＶセンタ２００から有線または無線で送られてくる画像信号ＳＶ、音声信号ＳＡおよび放送信号ＢＳを受信する。デコーダ１０４は、信号受信部１０３で受信された画像信号ＳＶおよび音声信号ＳＡの双方またはいずれかが例えば圧縮符号化されたものであるとき、その復号化を行う。
【００８４】
信号分配部１０５は、テレビ受信機１３１-1〜１３１-9のそれぞれに供給すべき画像信号ＳＶを出力し、またスピーカ１４１Ｌ，１４１Ｒに供給すべき音声信号を出力する。この信号分配部１０５には、ＡＶセンタ２００から送られてきた画像信号ＳＶ、音声信号ＳＡおよび放送信号ＢＳが供給される。また、この信号分配部１０５には、撮像素子１８０-1〜１８０-9のそれぞれで撮像されて得られた画像信号ＳＶが供給される。
【００８５】
信号分配部１０５は、テレビ受信機１３１-1〜１３１-9のそれぞれに、ＡＶセンタ２００から送られてきた放送信号ＢＳを分配して供給する。これによりテレビ受信機１３１-1〜１３１-9では、それぞれ、放送信号ＢＳに基づいて内蔵のチューナで所定の番組の画像信号ＳＶを得ることができ、その画像信号ＳＶによる画像を表示できる。この場合、例えば、テレビ受信機１３１-1〜１３１-9に、それぞれ、異なるチャネルの画像を表示できる。
【００８６】
また、信号分配部１０５は、ＡＶセンタ２００から送られてきた画像信号ＳＶを、テレビ受信機１３１-1〜１３１-9のそれぞれに供給できる。この場合、テレビ受信機１３１-1〜１３１-9では、それぞれ、その画像信号ＳＶによる画像を並行して表示できる。そしてこの場合、信号分配部１０５は、ＡＶセンタ２００から送られてきた音声信号ＳＡをスピーカ１４１Ｌ，１４１Ｒに供給する。これにより、スピーカ１４１Ｌ，１４１Ｒからは、テレビ受信機１３１-1〜１３１-9に表示された画像に対応した音声が出力される。
【００８７】
また、信号分配部１０５は、ＡＶセンタ２００から送られてきた画像信号ＳＶを、テレビ受信機１３１-1〜１３１-9のうち、いずれか一つ、例えば中央位置のテレビ受信機１３１-5に供給できる。この場合、その画像信号ＳＶが供給されたテレビ受信機では、その画像信号ＳＶによる画像を表示できる。そしてこの場合、信号分配部１０５は、ＡＶセンタ２００から送られてきた音声信号ＳＡをスピーカ１４１Ｌ，１４１Ｒに供給する。これにより、スピーカ１４１Ｌ，１４１Ｒからは、いずれか一つのテレビ受信機に表示された画像に対応した音声が出力される。
【００８８】
また、信号分配部１０５は、ＡＶセンタ２００から送られてきた画像信号ＳＶに基づいて生成された、各分割領域に対応した画像信号ＳＶ-1〜ＳＶ-9を、それぞれテレビ受信機１３１-1〜１３１-9に供給できる。
【００８９】
この場合、図２２に示すように、画像信号ＳＶによる元画像が水平、垂直にそれぞれ３分割され、各分割領域ａ〜ｉが水平、垂直にそれぞれ３倍に拡大されてテレビ受信機１３１-1〜１３１-9に表示される。この場合、テレビ受信機１３１-1〜１３１-9を用いて１つの画像が拡大されて表示される。
【００９０】
画像信号ＳＶ-1は、分割領域ａに対応した複数の画素データを、水平、垂直のそれぞれに３倍にする変換処理（ズーム処理）を行うことで生成される。この変換処理として、ＤＲＣ(Digital Reality Creation)処理を適用できる。ＤＲＣ処理とは、変換後の注目位置の画素データを、その注目位置の周辺に位置する変換前の複数の画素データ、およびその注目位置の位相に対応した、予め学習によって生成された係数データを用い、推定式に基づいて求める処理である。なお、この変換処理として、簡単な線形補間処理等を適用することもできる。画像信号ＳＶ-2〜ＳＶ-9についても、それぞれ、上述した画像信号ＳＶ-1と同様に、分割領域ｂ〜ｉに対応した複数の画素データを用いて生成される。
【００９１】
この場合、信号分配部１０５は、ＡＶセンタ２００から送られてきた音声信号ＳＡをスピーカ１４１Ｌ，１４１Ｒに供給する。これにより、スピーカ１４１Ｌ，１４１Ｒからは、テレビ受信機１３１-1〜１３１-9に表示された拡大画像に対応した音声が出力される。
【００９２】
また、信号分配部１０５は、撮像素子１８０-1〜１８０-9のそれぞれで得られた画像信号ＳＶを、それぞれ、対応するテレビ受信機１３１-1〜１３１-9に供給できる。この場合、テレビ受信機１３１-1〜１３１-9では、それぞれ、対応する撮像素子で撮像されて得られた画像信号ＳＶによる画像を表示できる。
【００９３】
また、信号分配部１０５は、撮像素子１８０-1〜１８０-9のそれぞれで得られた画像信号ＳＶのうち、いずれかの画像信号ＳＶを、テレビ受信機１３１-1〜１３１-9のうち、いずれか一つ、例えば中央位置のテレビ受信機１３１-5に供給できる。この場合、その画像信号ＳＶが供給されたテレビ受信機では、その画像信号ＳＶによる画像を表示できる。
【００９４】
また、信号分配部１０５は、撮像素子１８０-1〜１８０-9のそれぞれで得られた画像信号ＳＶのうち、いずれかの画像信号ＳＶに基づいて生成された、各分割領域に対応した画像信号ＳＶ-1〜ＳＶ-9を、それぞれテレビ受信機１３１-1〜１３１-9に供給できる。この場合も、図２２に示すように、画像信号ＳＶによる元画像が水平、垂直にそれぞれ３分割され、各分割領域ａ〜ｉが水平、垂直にそれぞれ３倍に拡大されてテレビ受信機１３１-1〜１３１-9に表示される。この場合、テレビ受信機１３１-1〜１３１-9を用いて１つの画像が拡大されて表示される。
【００９５】
また、信号分配部１０５は、テレビ受信機１３１-1〜１３１-9のうち、任意の一個または複数個のテレビ受信機にＡＶセンタ２００から送られてきた画像信号ＳＶを供給し、その他の一個または複数個のテレビ受信機に撮像素子で得られた画像信号ＳＶを供給することもできる。
【００９６】
ユーザは、リモコン１４０を操作し、上述した信号分配部１０５の分配動作を指定できる。
【００９７】
ここで、撮像素子１８０-1〜１８０-9の撮像方向、つまりカメラ向きの変更制御について説明する。ユーザがリモコン１４０のカメラ向き変更のボタンを押したとき、制御部１０１は補助信号送信部１０２から磁気信号が送信されるように、当該補助信号送信部１０２を制御する。そして、制御部１０１は、リモコン受光部１５０でユーザ位置情報を受信するとき、撮像素子１８０-1〜１８０-9の撮像方向のそれぞれがユーザの視線方向に向くように、自動雲台１９０-1〜１９０-9に制御信号を供給する。
【００９８】
この場合、制御部１０１は、図２３に示すように、補助信号送信部１０２の配置位置、つまり撮像素子１８０-5の位置（０，０）に対してユーザ位置（リモコン位置）が（ｘ0，ｚ0）であった場合、以下の（１）式〜（３）式で、撮像素子１８０-4、１８０-5，１８０-6の水平方向の角度Ａ２，Ａ１，Ａ０を求めることができる。ここで、ｘ0は、ユーザの水平方向の位置であり、ｚ0はユーザの奥行き方向の位置、つまりユーザと隔板部１１０との距離である。また、ｄhは各撮像素子の水平方向の距離である。
【００９９】
Ａ０＝１８０゜−atan(ｚ0/（ｄh＋ｘ0)）      ・・・（１）
Ａ１＝１８０゜−atan(ｚ0/ｘ0)               ・・・（２）
Ａ２＝１８０゜−atan(ｚ0/（ｄh−ｘ0)）      ・・・（３）
【０１００】
この場合、撮像素子１８０-1，１８０-7は、撮像素子１８０-4と水平方向の位置が同じであるので、その水平方向の角度はＡ２とされる。また、撮像素子１８０-2，１８０-8は、撮像素子１８０-5と水平方向の位置が同じであるので、その水平方向の角度はＡ１とされる。また、撮像素子１８０-3，１８０-9は、撮像素子１８０-6と水平方向の位置が同じであるので、その水平方向の角度はＡ０とされる。
【０１０１】
なお、詳細説明は省略するが、撮像素子１８０-1〜１８０-9の垂直方向の角度についても、上述した水平方向の角度と同様にして求めることができる。この場合、ユーザ位置（ｙ0，ｚ0）が用いられる。ここで、ｙ0はユーザの垂直方向の位置である。
【０１０２】
このように、ユーザがリモコン１４０のカメラ向き変更のボタンを押したとき、撮像素子１８０-1〜１８０-9の撮像方向がそれぞれユーザの視線方向に向くようにされる。例えば、図２４に示すように、リモコン１４０の位置（ユーザ位置）が隔板部１１０の正面側に対して左斜めの位置にある場合、撮像素子１８０-1〜１８０-9のそれぞれの撮像方向は、このユーザ位置からユーザがテレビ受信機１３１-1〜１３１-9の画面をそれぞれ見たときの視線方向となる。また例えば、図２５に示すように、リモコン１４０の位置（ユーザ位置）が隔板部１１０の正面側に対して右斜めの位置にある場合、撮像素子１８０-1〜１８０-9のそれぞれの撮像方向は、このユーザ位置からユーザがテレビ受信機１３１-1〜１３１-9の画面をそれぞれ見たときの視線方向となる。
【０１０３】
このように、ユーザがリモコン１４０のカメラ向き変更のボタンを押したとき、撮像素子１８０-1〜１８０-9の撮像方向をユーザの視線方向に合わせることができるので、これら撮像素子１８０-1〜１８０-9で得られた画像をテレビ受信機１３１-1〜１３１-9に表示する場合、ユーザ位置から適切な画像を表示できる。
【０１０４】
なお、ユーザは、上述したように、リモコン１４０のカメラ向き変更のボタンを押して、撮像素子１８０-1〜１８０-9の撮像方向をそれぞれユーザの視線方向に合わせることができるが、リモコン１４０のカメラ向き変更のボタン以外のボタン操作により、さらに撮像素子１８０-1〜１８０-9の撮像方向を個別に設定できるようにしてもよい。
【０１０５】
図２６のフローチャートを用いて、ついたて装置１００の制御部１０１の動作を説明する。まず、ステップＳＴ２１で、例えばパワーオンにより動作を開始し、ステップＳＴ２２で、リモコン信号を受信したか否かを判定する。リモコン信号を受信したときは、ステップＳＴ２３に進む。
【０１０６】
このステップＳＴ２３では、受信したリモコン信号を、テレビ受信機１３１-1〜１３１-9に分配する。これにより、ユーザは、リモコン１４０を操作して、テレビ受信機１３１-1〜１３１-9のそれぞれの動作、例えば内蔵チューナの受信チャネル、画像を表示するための画像信号として内蔵チューナの出力画像信号を使用するか外部入力の画像信号を使用するかの切替、輝度等を制御できる。
【０１０７】
次に、ステップＳＴ２４で、そのリモコン信号が各テレビ受信機１３１-1〜１３１-9に供給する画像信号ＳＶの切り替えを命令するコマンド信号であるか否かを判定する。信号切替を命令するコマンド信号であるとき、ステップＳＴ２５で、各テレビ受信機１３１-1〜１３１-9に供給する画像信号ＳＶを切り替え、その後にステップＳＴ２２に戻る。なお、ステップＳＴ２５の画像信号の切り替えを行う際に、スピーカ１４１Ｌ，１４１Ｒへの音声信号ＳＡの供給も適宜制御する。
【０１０８】
一方、ステップＳＴ２４で、信号切替を命令するコマンド信号でないときは、ステップＳＴ２６に進む。このステップＳＴ２６では、受信されたリモコン信号がカメラ向きの変更を命令するコマンド信号であるか否かを判定する。カメラ向き変更を命令するコマンド信号であるときは、ステップＳＴ２７で、そのコマンド信号に続いて、あるいはそのコマンド信号と一緒に送られてくるユーザ位置情報を受信する。
【０１０９】
そして、ステップＳＴ２８で、ユーザ位置情報に基づいて各撮像素子１８０-1〜１８０-9の水平、垂直の角度を求め、それに従って各撮像素子１８０-1〜１８０-9が載置されている自動雲台１９０-1〜１９０-9を制御し、各撮像素子１８０-1〜１８０-9の撮像方向を、ユーザの視線方向に合うように変更する。その後に、ステップＳＴ２２に戻る。
【０１１０】
上述したステップＳＴ２６でカメラ向き変更を命令するコマンドでないときは、直ちに、ステップＳＴ２２に戻り、次のリモコン信号の受信を待つ待機状態となる。
【０１１１】
以上説明したように、本実施の形態においては、隔板部１１０の正面側に配設されたテレビ受信機１３１-1〜１３１-9に、この隔板部１１０の背面側に取り付けられた撮像素子１８０-1〜１８０-9で撮像されて得られた画像信号ＳＶによる画像を表示できる。そのため、ユーザは、隔板部１１０の向こう側を見たいとき、リモコン１４０を操作して、上述したように、隔板部１１０の正面側に配設されたテレビ受信機１３１-1〜１３１-9に撮像素子１８０-1〜１８０-9で撮像されて得られた画像信号ＳＶによる画像を表示する状態とすればよく、隔板部１１０が邪魔にならない位置まで移動するということを行わずに、当該隔板部１１０の向こう側を容易に観察できる。
【０１１２】
また、本実施の形態においては、隔板部１１０の正面側に配設されたテレビ受信機１３１-1〜１３１-9のそれぞれをユーザが押圧操作するだけ容易に取り外して個別に使用でき、テレビ受信機１３１-1〜１３１-9の分離使用を容易に行うことができる。
【０１１３】
また、本実施の形態においては、隔板部１１０の正面側からテレビ受信機１３１-1〜１３１-9を取り外したとき、当該テレビ受信機１３１-1〜１３１-9が配設されていた位置に化粧板３１１〜３１３が自動的に移動して配置されるので、テレビ受信機１３１-1〜１３１-9を取り外した状態でも見た目がきれいな状態に保たれる。
【０１１４】
なお、図１に示すついたて装置１００では、ＡＶセンタ２００からの画像信号ＳＶ、音声信号ＳＡおよび放送信号ＢＳは有線でついたて装置１００に送信されるようになっているが、これを無線で送信するようにしてもよい。その場合、例えば、図２７に示すように、天井ＣＥにＡＶセンタ２００の信号送信部２０６を配設し、この信号送信部２０６から、例えばついたて装置１００の基台部１２０上に配設された信号受信部１０３に信号が送信されるようにする。この場合、ＡＶセンタ２００の信号送信部２０６を天井ＣＥに配設することで、ついたて装置１００が部屋内を任意に移動しても、ついたて装置１００の信号受信部１０３にＡＶセンタ２００からの画像信号ＳＶ、音声信号ＳＡおよび放送信号ＢＳを良好に送信できる。
【０１１５】
なお、上述実施の形態においては、隔板部１１０の正面側に、チューナ等が内蔵されたテレビ受信機１３１-1〜１３１-9が配設されるものを示したが、チューナ等が内蔵されていないディスプレイを配設することも考えられる。
【０１１６】
また、上述実施の形態においては、隔板部１１０の正面側に９個のテレビ受信機１３１-1〜１３１-9を配設したものを示したが、隔板部１１０の正面側に配設するテレビ受信機の個数はこれに限定されない。例えば、一個のテレビ受信機を配設する構成も考えられる。
【０１１７】
また、上述実施の形態においては、隔板部１１０の背面側に、正面側に配設されたテレビ受信機１３１-1〜１３１-9のそれぞれに対応させて９個の撮像素子１８０-1〜１８０-9を取り付けたものを示したが、隔板部１１０の背面側に取り付ける撮像素子の個数はこれに限定されない。例えば、一個の撮像素子を配設する構成も考えられる。
【０１１８】
また、上述実施の形態においては、隔板部１１０の背面側に撮像素子１８０-1〜１８０-9を取り付けるものを示したが、さらに、この隔板部１１０の正面側にも撮像素子を取り付け、その撮像素子で撮像されて得られた画像信号による画像を、テレビ受信機１３１-1〜１３１-9で表示できるようにしてもよい。
【０１１９】
また、上述実施の形態においては、ついたて装置１００とＡＶセンタ２００とは別個に構成されるものを示したが、例えばついたて装置１００の基台部１２０に、ＡＶセンタ２００の部分を内蔵した構成も考えられる。
【０１２０】
また、上述実施の形態においては、この発明をついたてに適用したものであるが、この発明は空間を分割する機能を有するその他のもの、例えば間仕切り、壁などにも同様に適用できる。
【産業上の利用可能性】
【０１２１】
この発明は、空間を分割する隔板部の正面側に画像表示素子を配設すると共に、この隔板部の背面側に撮像素子を取り付け、画像表示素子に撮像素子で撮像されて得られた画像信号による画像を表示可能とし、ユーザが隔板部の背面側を容易に観察できるようにしたものであり、例えばついたて、間仕切り、壁などに適用できる。
【図面の簡単な説明】
【０１２２】
【図１】実施の形態としてのついたて装置の構成を示す斜視図である。
【図２】ついたて装置の背面側を示す斜視図である。
【図３】テレビ受信機を取り外した状態を示す斜視図である。
【図４】テレビ受信機の構造を示す図である。
【図５】テレビ受信機の取り外し時および取り付け時の化粧板の位置を比較して示す図である。
【図６】化粧板の構造等を示す図である。
【図７】化粧板可動機構およびテレビ受信機のロック機構を示す図である。
【図８】トグルロック機構を説明するための図である。
【図９】テレビ受信機の取り付け時の動きを説明するための図である。
【図１０】テレビ受信機の取り付け時の動きを説明するための図である。
【図１１】テレビ受信機の取り付け時の動きを説明するための図である。
【図１２】テレビ受信機の取り付け時の動きを説明するための図である。
【図１３】テレビ受信機の取り外し時の動きを説明するための図である。
【図１４】テレビ受信機の取り外し時の動きを説明するための図である。
【図１５】台座の構造を示す図である。
【図１６】テレビ受信機を台座に載置した状態を示す図である。
【図１７】スピーカ、リモコン受光部に対する配線を説明するための図である。
【図１８】テレビ受信機に対する配線を説明するための図である。
【図１９】ついたて装置およびＡＶセンタの回路構成を示すブロック図である。
【図２０】リモコンの動作を示すフローチャートである。
【図２１】ＡＶセンタの制御部の動作を示すフローチャートである。
【図２２】複数個のテレビ受信機を使用した拡大表示の概念を示す図である。
【図２３】撮像方向の求め方を説明するための図である。
【図２４】撮像方向の変更例を示す図である。
【図２５】撮像方向の変更例を示す図である。
【図２６】ついたて装置の制御部の動作を示すフローチャートである。
【図２７】ついたて装置の他の構成例を示す斜視図である。
【符号の説明】
【０１２３】
１００・・・ついたて装置、１０１・・・制御部、１０２・・・位置検出補助信号送信部、１０３・・・信号受信部、１０４・・・デコーダ、１０５・・・信号分配部、１１０・・・隔板部、１２０・・・基台部、１３１、１３１-1〜１３１-9・・・テレビ受信機、１３２・・・画面部、１３３・・・固定部、１３４，１３５・・・ロック用孔、１３６・・・接続電極、１４０・・・リモコン、１４１Ｌ・・・左側スピーカ、１４１Ｒ・・・右側スピーカ、１５０・・・リモコン受光部、１６０・・・キャスター、１７０・・・電源プラグ、１８０-1〜１８０-9・・・撮像素子、１９０-1〜１９０-9・・・自動雲台、２００・・・ＡＶセンタ、２０１・・・制御部、２０２・・・チューナ、２０３・・・ＤＶＤ装置、２０４・・・ＨＤＤ、２０５・・・信号切替部、２０６・・・信号送信部、２１１・・・ディスク挿入口、２１２・・・表示素子、２１３・・・リモコン受光部、２１４・・・アンテナ端子、２１５・・・外部入力端子、３１１〜３１３・・・化粧板、３１４・・・矩形状切欠、３５１，３８１・・・箱状部材、３５２，３５９，３８２，３８９・・・トグルロック機構、３５４，３６１，３７１，３８４，３９１・・・コイルバネ、３５５，３８５・・・ロック用爪、３５６，３８６・・・傾斜部、３５７，３８７・・・作用片、３５８，３８８・・・ロック部、３９２・・・接続電極、４００・・・台座、４０１，４０２・・・載置部、４０３Ｌ・・・左側スピーカ、４０３Ｒ・・・右側スピーカ、４０４・・・リモコン受光部、４０５・・・接続電極、４１０・・・電源プラグ
【図１】
0004622302.tif 000002
【図２】
0004622302.tif 000003
【図３】
0004622302.tif 000004
【図４】
0004622302.tif 000005
【図５】
0004622302.tif 000006
【図６】
0004622302.tif 000007
【図７】
0004622302.tif 000008
【図８】
0004622302.tif 000009
【図９】
0004622302.tif 000010
【図１０】
0004622302.tif 000011
【図１１】
0004622302.tif 000012
【図１２】
0004622302.tif 000013
【図１３】
0004622302.tif 000014
【図１４】
0004622302.tif 000015
【図１５】
0004622302.tif 000016
【図１６】
0004622302.tif 000017
【図１７】
0004622302.tif 000018
【図１８】
0004622302.tif 000019
【図１９】
0004622302.tif 000020
【図２０】
0004622302.tif 000021
【図２１】
0004622302.tif 000022
【図２２】
0004622302.tif 000023
【図２３】
0004622302.tif 000024
【図２４】
0004622302.tif 000025
【図２５】
0004622302.tif 000026
【図２６】
0004622302.tif 000027
【図２７】
0004622302.tif 000028